(57)【要約】      （修正有） 【課題】鞄等に保管された内容物の保安維持と共に盗難を防止できるようにしたスライドファスナーの止め金装置の提供。【解決手段】一端にスライドファスナー１の一方側のスライダー２ａに連結される連結輪３ａが形成され、他端に掛かり溝が形成されたケーシング５と、上記ケーシングの内部にスプリングで弾性支持され、一側端に形成されたロッキングバーがケーシングの外部へ突出するように操作レバー８に依って往復される作動杆と、上記作動杆の往復運動を断続させる多数個のキーダイアル１０から成る雄止め金Ａと；一端にスライドファスナーの他方側のスライダーに連結される連結輪３ｂが形成され、上記雄止め金Ａの掛け溝に挿入される掛かり突起１１が他端に形成され、上記雄止め金のロッキングバーが挿入されて締結されるロッキング溝１２が形成された雌止め金Ｂから；構成される事を特徴とするスライドファスナーの止め金装置１００が提供される。  【選択図】図１
0003113088.tif 000002
【実用新案登録請求の範囲】
【請求項１】
一端にスライドファスナー（１）の一方側スライド（２ａ）に連結される連結輪（３ａ）が形成され、他端に掛かり溝（４）が形成されたケーシング（５）と、該ケーシング（５）の内部にスプリング（６）により弾性支持され、一側端に形成されたロッキングバー（７）が該ケーシング（５）の外部へ突出するよう操作レバー（８）に依って往復される作動杆（９）と、該作動杆（９）の往復運動を断続する多数個のキーダイアル（１０）から成る雄止め金（Ａ）と；一端に該スライドファスナー（１）の他方側スライダー（２ｂ）に連結される連結輪（３ｂ）が形成され、該雄止め金（Ａ）に、該掛かり溝（４）に挿入される掛かり突起（１１）が他端に形成され、該雄止め金（Ａ）の該ロッキングバー（７）が挿入されて締結されるロッキング溝（１２）が形成された雌止め金（Ｂ）から；構成されることを特徴とするスライドファスナーの止め金装置。  
【請求項２】
上記キーダイアル（１０）は後面部に受容溝（１３）が形成され、前面部に数字（１４）が等間隔で表記され、該数字（１４）の位置毎に一定角度で無限回転し、上記作動杆（９）は前面部に受容突起（１５）が該キーダイアル（１０）の個数と同じ数だけ同一線上に形成されて、該キーダイアル（１０）の該受容溝（１３）全てを同一線上に位置するようにする数字（１４）の組み合わせに該キーダイアル（１０）が位置される時、該作動杆（９）の該受容突起（１５）が同時に該キーダイアル（１０）の該受容溝（１３）に受容されることに依って、上記操作レバー（８）を通じて上記雄止め金（Ａ）の上記ロッキングバー（７）が突出され、上記雌止め金（Ｂ）の上記ロッキング溝（１２）に挿入され、該雄止め金（Ａ）と該雌止め金（Ｂ）が締結されて閉ざされたり分離されて開けられることを特徴とする請求項１に記載のスライドファスナーの止め金装置。
【考案の詳細な説明】
【技術分野】
【０００１】
本考案は、スライドファスナーの止め金装置に関わるもので、より詳細には鞄等の入口部を迅速簡便に開閉する為、スライドファスナー（ｓｌｉｄｅ  ｆａｓｔｅｎｅｒ）に備えられた一対のスライダーに掛かり装置が設けられた雄止め金と、上記雄止め金の掛かり装置に依って雄止め金と締結され閉じられる雌止め金を各々設置し、上記スライドファスナーが完全に閉じられた状態にて雄止め金と雌止め金の結合に依って簡単にロックできるようにする事に依って、他人がスライドファスナーを開放できないようにし、鞄等に保管された内容物の保安維持と共に盗難を防止できるようにした、スライドファスナーの止め金装置に関わるものである。  
【背景技術】
【０００２】
一般に、柔らかい材質で成る書類鞄や旅行用鞄、及び背嚢等には、内容物を出し入れする為の入口部に、迅速簡便に開閉できるように摘みが備えられたスライダーに依って開閉するスライドファスナーが設けられている。このようなスライドファスナーの設けられた鞄には、スライドファスナーを両方向から開閉できるよう複数個のスライダーを設置し、スライドファスナーをより迅速簡便に開閉できるようにしてある。  
【０００３】
しかし、上記の鞄のスライドファスナーは、誰でもたやすく開閉できる為、個人の私生活が侵害される結果を招来し、鞄の内部に保管してある内容物を盗まれる惧れがあった。従って、スライドファスナーの開放を防止する為にスライダーに錠を掛け、スライダーを固定する事に依ってスライドファスナーの開放を防止し、内容物を安全に保管することはできるが、これにはスライダーに掛けて固定する為の錠を別途購入しなければならず、それにスライダーを固定するたびに錠を開けたり掛かけたりする過程を繰り返さなければならない不便があり、錠を開ける為の鍵の紛失に因り、スライドファスナーを開けられず困難を経験する場合も生じた。  
【０００４】
上記のような問題点を補完する為に、スライドファスナーの一方側のスライダーには錠を設け、他方側のスライダーには鍵を設置して、上記錠の鍵孔に鍵を挿入した後、錠の上側に設けられた鍵の出入を断続させるキーボタンの配列を人為的に変更する事に依って、スライドファスナーをロックするスライドファスナーの錠掛け装置は公知の事である。  
【０００５】
しかし、上記錠と鍵は、スライドファスナーが錠の長さぐらい開いた状態で締結されて錠掛けする為、スライダーが固定されても鞄の内部を外部から見る事ができる為、やはり個人の私生活が侵害される問題点があった。又、錠と鍵が締結されて掛けられる為のキーボタンの配列は、キーボタンの高さに依るので、使用者がキーボタンの高さを識別しにくい為、スライドファスナーを開けてキーボタンの配列も記憶する事が多少困難な為、使用者が錠を開けられない場合も時々発生する問題点があった。又、スライダーに、その大きさの異なる錠と鍵が各々設置される事に依って、均衡感が喪失され、外観の美麗さも落ちるという問題点もあった。
【考案の開示】
【考案が解決しようとする課題】
【０００６】
本考案は、上記のような問題点を解決する為に考案されたもので、柔らかい材質でできている書類鞄や旅行用鞄、及び背嚢等の入口部に設置されたスライドファスナーが完全に閉ざされた状態でスライダーを固定し、鞄に保管されている内容物の保安維持と共に盗難を防止するばかりでなく、使用者は迅速簡便にスライドファスナーを開閉できるようにする為、一端に連結輪が形成され、他端に掛かり溝が形成されたケーシングと、上記ケーシングの内部にスプリングで弾性支持され、一側端に形成されたロッキングバーがケーシングの外部へ突出するよう操作レバーに依って往復される作動杆と、上記作動杆の往復運動を断続させる多数個のキーダイアルで成る雄止め金と；一端に連結輪が形成され、上記雄止め金の掛かり溝に挿入される掛かり突起が他端に形成され、上記雄止め金のロッキングバーが挿入されて締結されるロッキング溝が形成された雌止め金で構成されたスライドファスナーの止め金装置を提供する事にある。
【課題を解決するための手段】
【０００７】
上記課題を解決するために、本考案は以下の［１］、［２］の構成を有する。
［１］一端にスライドファスナー（１）の一方側スライド（２ａ）に連結される連結輪（３ａ）が形成され、他端に掛かり溝（４）が形成されたケーシング（５）と、該ケーシング（５）の内部にスプリング（６）により弾性支持され、一側端に形成されたロッキングバー（７）が該ケーシング（５）の外部へ突出するよう操作レバー（８）に依って往復される作動杆（９）と、該作動杆（９）の往復運動を断続する多数個のキーダイアル（１０）から成る雄止め金（Ａ）と；一端に該スライドファスナー（１）の他方側スライダー（２ｂ）に連結される連結輪（３ｂ）が形成され、該雄止め金（Ａ）に、該掛かり溝（４）に挿入される掛かり突起（１１）が他端に形成され、該雄止め金（Ａ）の該ロッキングバー（７）が挿入されて締結されるロッキング溝（１２）が形成された雌止め金（Ｂ）から；構成されることを特徴とする。  
［２］上記［１］に於いて、上記キーダイアル（１０）は後面部に受容溝（１３）が形成され、前面部に数字（１４）が等間隔で表記され、該数字（１４）の位置毎に一定角度で無限回転し、上記作動杆（９）は前面部に受容突起（１５）が該キーダイアル（１０）の個数と同じ数だけ同一線上に形成されて、該キーダイアル（１０）の該受容溝（１３）全てを同一線上に位置するようにする数字（１４）の組み合わせに該キーダイアル（１０）が位置される時、該作動杆（９）の該受容突起（１５）が同時に該キーダイアル（１０）の該受容溝（１３）に受容されることに依って、上記操作レバー（８）を通じて上記雄止め金（Ａ）の上記ロッキングバー（７）が突出され、上記雌止め金（Ｂ）の上記ロッキング溝（１２）に挿入され、該雄止め金（Ａ）と該雌止め金（Ｂ）が締結されて閉ざされたり分離されて開けられることを特徴とする。
【考案の効果】
【０００８】
上記のように構成された本考案のスライドファスナーの止め金装置は、スライドファスナー（１）のスライダー（２ａ）とスライダー（２ｂ）に、各々雄止め金（Ａ）と雌止め金（Ｂ）が連結輪（３ａ）（３ｂ）を通じて設置され、上記スライダー（２ａ）とスライダー（２ｂ）が密着し、スライドファスナー（１）が完全に閉ざされた状態に於いて上記雄止め金（Ａ）と雌止め金（Ｂ）が締結されて錠掛けできる為、長時間席を外して鞄から離れても、他人がスライドファスナー（１）を容易に開ける事ができなくなり、鞄に保管された内容物の保安維持と共に、盗難を防止する事ができる為、個人の私生活も一層安全に保護できる効果がある。  
【考案を実施するための最良の形態】
【０００９】
以下、本考案の望ましい実施例を、添付の図面を参照して詳細に説明すると、以下の如くである。  
【００１０】
本考案のスライドファスナーの止め金装置（１００）は、図１乃至図３に図示されたように、一端にスライドファスナー（１）の一方側のスライダー（２ａ）に連結される連結輪（３ａ）が形成され、他端にロッキング溝（１２）が形成されたケーシング（５）と、該ケーシング（５）の内部にスプリング（６）で弾性支持され、一側端に形成されたロッキングバー（７）がケーシング（５）の外部へ突出するよう、操作レバー（８）に依って往復される作動杆（９）と、該作動杆（９）の往復運動を断続させる多数個のキーダイアル（１０）から成る雄止め金（Ａ）と；一端にスライドファスナー（１）の他方側のスライダー（２ｂ）に連結される連結輪（３ｂ）が形成され、該雄止め金（Ａ）の掛かり溝（４）に挿入される掛かり突起（１１）が他端に形成され、該雄止め金（Ａ）のロッキングバー（７）が挿入されて締結されるロッキング溝（１２）が形成された雌止め金（Ｂ）から；成る事を特徴とする。  
【００１１】
上記キーダイアル（１０）は、後面部に受容溝（１３）が形成され、前面部に数字（１４）が等間隔に表記され、数字（１４）の位置毎に一定角度で無限回転され、上記作動杆（９）は前面部に受容突起（１５）がキーダイアル（１０）の個数と同じ数だけ同一線上に形成され、該キーダイアル（１０）の受容溝（１３）全てを同一線上に位置するようにする数字（１４）の組み合わせにキーダイアル（１０）が位置する時、作動杆（９）の受容突起（１５）が同時に受容溝（１３）に受容される事に依って、操作レバー（８）を通じて雄止め金（Ａ）のロッキングバー（７）が雌止め金（Ｂ）のロッキング溝（１２）に突出可能になり、雄止め金（Ａ）と雌止め金（Ｂ）が締結されて閉ざされるか分離されて開くようになる。  
【００１２】
又、本考案のスライドファスナーの止め金装置（１００）は、一個のスライダー（２ａ）が備えられたスライドファスナー（１）に於いては雄止め金（Ａ）又は雌止め金（Ｂ）をスライダー（２ａ）に設置し、雌止め金（Ｂ）又は雄止め金（Ａ）をスライドファスナー（１）の端部に設置して使用するのが望ましい。
【００１３】
このように構成される本考案のスライドファスナーの止め金装置（１００）は、柔らかい材質でできている書類鞄や旅行用鞄又は背嚢等の入口部を迅速簡便に開閉できるように備えられたスライドファスナー（１）が他人に開けられないようにしたものであり、一対のスライダー（２ａ）（２ｂ）の備えられたスライドファスナー（１）は一方側のスライダー（２ａ）に雄止め金（Ａ）が連結輪（３ａ）に依って設置され、他方側のスライダー（２ａ）に上記雄止め金（Ａ）のロッキングバー（７）が突出して挿入されるロッキング溝（１２）の形成された雌止め金（Ｂ）が連結輪（３ｂ）に依って設置され、一個のスライダー（２ａ）が備えられたスライドファスナー（１）は、スライダー（２ａ）に雄止め金（Ａ）又は雌止め金（Ｂ）が連結輪（３ａ）に依って設置され、スライドファスナー（１）の端部に雌止め金（Ｂ）又は雄止め金（Ａ）が連結輪（３ｂ）に依って設置される。  
【００１４】
上記のように、雄止め金（Ａ）と雌止め金（Ｂ）が設置されたスライドファスナー（１）は、スライダー（２ａ）とスライダー（２ｂ）、又はスライダー（２ａ）とスライドファスナー（１）の端部が完全に密着されて閉ざされた状態で上記雄止め金（Ａ）と雌止め金（Ｂ）が締結されて錠掛けされる事に依って、上記スライダー（２ａ）とスライダー（２ｂ）、又スライダー（２ａ）とスライドファスナー（１）の端部が密着した状態を維持する事ができるようになり、鞄に保管された内容物の保安維持と共に他人による内容物の盗難を防止できるようになる。
【００１５】
ここで、雌止め金（Ｂ）と雄止め金（Ａ）が締結されて閉ざされるようになるのは、雄止め金（Ａ）のケーシング（５）の内部に設置されたキーダイアル（１０）と作動杆（９）に依るものであるが、これは前面部に一定間隔に表記された数字（１４）の位置毎に一定角度で無限回転するように設置された多数個のキーダイアル（１０）の数字（１４）の組み合わせの中から一つの組み合わせだけが上記キーダイアル（１０）の後面部に形成された受容溝（１３）と作動杆（９）の前面部に形成された受容突起（１５）が同一線上に位置するようにし、操作レバー（８）を通じて作動杆（９）の受容突起（１５）が受容溝（１３）に受容可能になると同時に作動杆（９）の一側端に形成されたロッキングバー（７）が外部へ突出可能になる事に依って、上記ロッキングバー（７）が雌止め金（Ｂ）のロッキング溝（１２）に挿入されて雄止め金（Ａ）と雌止め金（Ｂ）が閉ざされるようになるのである。
【００１６】
従って、鞄のスライドファスナー（１）を誰からも開けられたり見られたりしないように、雌止め金（Ｂ）のケーシング（５）の内部に設置されている作動杆（９）の受容突起（１５）がキーダイアル（１０）の受容溝（１３）に挿入されて作動杆（９）の一方側の端に形成されたロッキングバー（７）が外部へ突出可能にするキーダイアル（１０）の数字（１４）の組合を使用者だけが分かるように設定し、上記キーダイアル（１０）を回転させてロッキング（７）が外部へ突出するようにする数字（１４）の組み合わせと同一に合わせた後、図２に図示したように雌止め金（Ｂ）に形成された掛かり突起（１１）を雄止め金（Ａ）の掛かり溝（４）に挿入し、操作レバー（８）を押し上げて作動杆（９）の一方側の端に形成されたロッキングバー（７）を雌止め金（Ｂ）に形成されたロッキング溝（１２）に位置させた後、操作レバー（８）を離すと作動杆（９）を弾性支持しているスプリング（６）の弾性に依って作動杆（９）が下降しながらロッキングバー（７）がロッキング溝（１２）に挿入される事に依って、雌止め金（Ｂ）と雄止め金（Ａ）が締結されて閉ざされるようになる。  
【００１７】
上記のように、雄止め金（Ａ）と雌止め金（Ｂ）が締結されて閉ざされた後は作動杆（９）を往復運動させるキーダイアル（１０）の数字（１４）の組み合わせを他人が分からないようにキーダイアル（１０）を無作為に回転させる事に依って、スライダー（２ａ）とスライダー（２ｂ）、又はスライダー（２ａ）とスライドファスナー（１）の端部が密着した状態が維持される事になり、鞄に備えられたスライドファスナー（１）を誰も開けられないようになる。  
【００１８】
このように、本考案のスライドファスナーの止め金装置（１００）は、柔らかい材質でできている書類鞄や旅行用鞄、又は背嚢等の入口部を迅速簡便に開閉できるように備えられたスライドファスナー（１）のスライダー（２ａ）とスライダー（２ｂ）、又はスライダー（２ａ）とスライドファスナー（１）の端部に各々締結されて閉ざされる雄止め金（Ａ）と雌止め金（Ｂ）が設けられる事に依って、上記雄止め金（Ａ）と雌止め金（Ｂ）をスライドファスナー（１）の摘みに使用するのは勿論、スライダー（２ａ）とスライダー（２ｂ）、又はスライダー（２ａ）とスライドファスナー（１）の端部が完全に密着した状態で使用者だけが分かっており、他人には分からない数字（１４）の組み合わせでキーダイアル（１０）を回転させ、雄止め金（Ａ）と雌止め金（Ｂ）を閉じたり開けたりする事に依って、長時間席を外して鞄から離れても、他人が鞄のスライドファスナー（１）を容易に開けられないようになり、鞄の中の内容物の保安維持と共に盗難を防止できる。  
【００１９】
尚、本考案のスライドファスナーの止め金装置（１００）は、雄止め金（Ａ）と雌止め金（Ｂ）が締結されて錠掛けするキーダイアル（１０）の前面部に数字（１４）が表記され、他人はキーダイアル（１０）の数字（１４）の組み合わせが分からない為、スライドファスナー（１）を容易に開閉できないが、雄止め金（Ａ）と雌止め金（Ｂ）を開けたり閉じたりするキーダイアル（１０）の数字（１４）の組み合わせを知っている使用者は、キーダイアル（１０）の前面部に表記された数字（１４）を直接見ながらキーダイアル（１０）を回転させる事に依って至って簡便にスライドファスナー（１）を開閉できるようになる。  
【００２０】
又、本考案のスライドファスナーの止め金装置（１００）は、雌止め金（Ｂ）と雄止め金（Ａ）が締結されて錠掛けされる為にはスライダー（２ａ）とスライダー（２ｂ）、又、スライダー（２ａ）とスライドファスナー（１）の端部が密着されてスライドファスナー（１）が完全に閉ざされた状態の時だけ可能であるから、従来の止め金装置とは異なっており、スライドファスナー（１）の一部が開いている状態では上記雌止め金（Ｂ）と雄止め金（Ａ）が閉ざされなくなるようになる事に依って、上記スライドファスナー（１）の開いた隙間から鞄の中に保管されている内容物を落としたり、その隙間から鞄の内部を見られるのを防止する事に依って、鞄に保管された内容物を一層安全に保管できるばかりでなく、個人の私生活の保護も、より効果的に保護できるようになる。  
【産業上の利用可能性】
【００２１】
以上説明したように、本考案のスライドファスナーの止め金装置は、スライドファスナー（１）のスライダー（２ａ）とスライダー（２ｂ）に、各々雄止め金（Ａ）と雌止め金（Ｂ）が連結輪（３ａ）（３ｂ）を通じて設置され、上記スライダー（２ａ）とスライダー（２ｂ）が密着し、スライドファスナー（１）が完全に閉ざされた状態に於いて上記雄止め金（Ａ）と雌止め金（Ｂ）が締結されて錠掛けできる為、長時間席を外して鞄から離れても、他人がスライドファスナー（１）を容易に開ける事ができなくなり、鞄に保管された内容物の保安維持と共に、盗難を防止する事ができる為、個人の私生活も一層安全に保護できる効果があり、産業界に寄与すること大である。
【図面の簡単な説明】
【００２２】
【図１】本考案の全体斜視図
【図２】本考案の雄止め金と雌止め金の分離状態を示す垂直断面図
【図３】本考案の雄止め金と雌止め金の締結状態を示す垂直断面図
【図４】本考案の雄止め金の斜視図
【図５】本考案の雄止め金の垂直断面図
【図６】図５の“Ａ−Ａ”線の断面図
【符号の説明】
【００２３】
１：スライドファスナー
２ａ、２ｂ：スライダー
３ａ、３ｂ：連結輪
４：掛かり溝
５：ケーシング
６：スプリング
７：ロッキングバー
８：操作レバー
９：作動杆
１０：キーダイアル
１１：掛かり突起
１２：ロッキング溝
１３：收容溝
１４：数字
１５：受容突起
Ａ：雄止め金
Ｂ：雌止め金
１００：止め金装置
【図１】
0003113088.tif 000003
【図２】
0003113088.tif 000004
【図３】
0003113088.tif 000005
【図４】
0003113088.tif 000006
【図５】
0003113088.tif 000007
【図６】
0003113088.tif 000008